【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
記憶性液晶を用いて所定の解像度で画像を表示する第１表示画面と、
前記第１表示画面の周辺の少なくとも一辺に沿って配置され、第１表示画面よりも低い解像度を有する第２表示画面と、
前記第２表示画面が沿う一辺の方向に移動可能であって、前記第１表示画面の周辺上の少なくとも１箇所を指し示すポインタ画像を前記第２表示画面上に表示するポインタ画像表示手段と、
を備えていることを特徴とする画像表示装置。
【請求項２】
記憶性液晶を用いて所定の解像度で画像を表示する第１表示画面と、
前記第１表示画面の周辺の直交する２つの周辺に沿って配置され、第１表示画面よりも低い解像度を有する第２表示画面と、
前記第２表示画面が沿う一辺の方向に移動可能であって、前記第１表示画面の周辺上の少なくとも１箇所を指し示すポインタ画像を前記第２表示画面上に表示するポインタ画像表示手段と、
を備えていることを特徴とする画像表示装置。
【請求項３】
記憶性液晶を用いて所定の解像度で画像を表示する第１表示画面と、
前記第１表示画面の周辺の少なくとも一辺に沿って配置され、第１表示画面よりも低い解像度を有する第２表示画面と、
前記第２表示画面が沿う一辺の方向に移動可能であって、前記第１表示画面の周辺上の少なくとも１箇所を指し示すポインタ画像を前記第２表示画面上に表示するポインタ画像表示手段と、
ポインタ画像によって指し示される領域に予め割り付けられた情報を表示する領域情報ディスプレイと、
を備えていることを特徴とする画像表示装置。
【請求項４】
記憶性液晶を用いて所定の解像度で画像を表示する第１表示画面と、
前記第１表示画面の周辺の直交する２つの周辺に沿って配置され、第１表示画面よりも低い解像度を有する第２表示画面と、
前記第２表示画面が沿う一辺の方向に移動可能であって、前記第１表示画面の周辺上の少なくとも１箇所を指し示すポインタ画像を前記第２表示画面上に表示するポインタ画像表示手段と、
ポインタ画像によって指し示される領域に予め割り付けられた情報を表示する領域情報ディスプレイと、
を備えていることを特徴とする画像表示装置。
【請求項５】
前記第２表示画面は、記憶性液晶を用いて前記ポインタ画像を表示する表示画面であることを特徴とする請求項１乃至４のいずれか１項に記載の画像表示装置。
【請求項６】
前記ポインタ画像表示手段は、電圧を印加された電極に対応する画素が光を透過しない状態に遷移し、ポインタ画像を表示することを特徴とする請求項１乃至４のいずれか１項に記載の画像表示装置。
【手続補正２】
【補正対象書類名】明細書
【補正対象項目名】０００６
【補正方法】変更
【補正の内容】
【０００６】
以上の課題を解決するため、本発明の画像表示装置は、記憶性液晶を用いて所定の解像度で画像を表示する第１表示画面と、前記第１表示画面の周辺の少なくとも一辺に沿って配置され、第１表示画面よりも低い解像度を有する第２表示画面と、前記第２表示画面が沿う一辺の方向に移動可能であって、前記第１表示画面の周辺上の少なくとも１箇所を指し示すポインタ画像を前記第２表示画面上に表示するポインタ画像表示手段と、を備えてなることを特徴とする。
【手続補正３】
【補正対象書類名】明細書
【補正対象項目名】０００９
【補正方法】変更
【補正の内容】
【０００９】
また、本発明の画像表示装置は、前記第２表示画面が記憶性液晶を用いて前記ポインタ画像を表示する表示画面であることを特徴とする。
このような発明によれば、画像表示装置への電力供給を断ってもポインタ画像を表示し続けることが可能になる。このため、画像表示装置の消費電力を抑えながら第１表示画面に表示された内容に付箋を付したのと同様の効果を得ることができる。
【手続補正４】
【補正対象書類名】明細書
【補正対象項目名】００１０
【補正方法】変更
【補正の内容】
【００１０】
また、本発明の画像表示装置は、前記第２表示画面が前記第１表示画面の直交する２つの周辺に沿って設けられ、各第２表示画面上に表示された前記ポインタ画像は、それぞれ前記第１表示画面の周辺上の少なくとも１箇所を指し示すことを特徴とする。
【手続補正５】
【補正対象書類名】明細書
【補正対象項目名】００１５
【補正方法】変更
【補正の内容】
【００１５】
本実施形態では、メインディスプレイ２０１、サブディスプレイ２０２を記憶性液晶を使ってポインタ画像を表示する表示画面として構成する。
本実施形態は、このような画素に対する電圧印加を切り替えることにより、サブディスプレイ２０２ａに沿うメインディスプレイ２０１の一辺の方向に移動可能であって、メインディスプレイ２０１の周辺上の少なくとも１箇所を指し示すポインタ画像２１０ａを表示する。また、サブディスプレイ２０２ｂに沿うメインディスプレイ２０１の一辺の方向に移動可能であって、メインディスプレイ２０１の周辺上の少なくとも１箇所を指し示すポインタ画像２１０ｂを表示する。
【手続補正６】
【補正対象書類名】明細書
【補正対象項目名】００１９
【補正方法】変更
【補正の内容】
【００１９】
本実施形態では、オンした電極に対応する画素が光を透過しない状態に遷移し、ポインタ画像２１０ａ，２１０ｂを表示する。このため、ポインタ画像２１０ａ，２１０ｂは、画素の配列方向にのみ移動可能であって、他の方向には移動することができない。また、ポインタ画像２１０ａ，２１０ｂがメインディスプレイ２０１の周辺の１つに沿って移動することにより、ユーザは、ポインタ画像２１０ａ，２１０ｂが、ポインタ画像２１０ａ，２１０ｂを通る直線を含むメインディスプレイ２０１上の領域（図２中に領域Ａとして示す）を指し示すものと認識する。
【手続補正７】
【補正対象書類名】明細書
【補正対象項目名】００２０
【補正方法】変更
【補正の内容】
【００２０】
このため、ユーザは、メインディスプレイ２０１に表示された内容のうち所定の行あるいは列を通る直線と一直線上にある位置にポインタ画像２１０ａ，２１０ｂを表示させ、この行あるいは列に付箋を付したのと同様の効果を得ることができる。また、本実施形態のように、サブディスプレイ２０２をメインディスプレイ２０１の縦の辺及び横の辺に沿って設けた場合、縦の領域と横の領域との交点ＡＡとなるメインディスプレイ２０１上の領域を指し示すことが可能になる。
【手続補正８】
【補正対象書類名】明細書
【補正対象項目名】００２１
【補正方法】変更
【補正の内容】
【００２１】
さらに、図２に示したように、サブディスプレイ２０２ａ、サブディスプレイ２０２ｂをメインディスプレイ２０１の周辺全てに設けた場合、ポインタ画像２１０ａ、２１０ｂが指し示すメインディスプレイ２０１上の行あるいは列がより明瞭になる。
また、このような本実施形態は、高解像度のメインディスプレイ２０１を操作することなく、メインディスプレイ２０１の表示内容のマーキング箇所を変更する操作が可能になる。また、本実施形態は、一方向にのみ電極を配置してサブディスプレイ２０２を構成しているので、記憶性液晶表示画面のサブディスプレイ２０２にあってもポインタ画像２１０ａ、２１０ｂの表示を高速に切り替えることができる。このため、マーキング箇所を変更する操作において、良好な応答性を得ることができる。そして、画像表示装置に対する電力の供給を断ってもポインタ画像２１０ａ、２１０ｂを表示し続けてマークを残すことができるという記憶性液晶の特長を生かすことができる。
【手続補正９】
【補正対象書類名】明細書
【補正対象項目名】００２６
【補正方法】変更
【補正の内容】
【００２６】
図４は、画面表示装置がＦモードであって、選択の対象となっているフォルダが１ないし３の合計３個存在することを示している。フォルダ１ないし３は、各々がポインタ画像２１０ａ、２１０ｂによって指し示された領域の記録を保存している。フォルダ２の内容を見る場合、ユーザは、ポインタ画像２１０ｂを移動してフォルダ２を選択する。そして、操作部１１０のＥｎｔｅｒボタンを押下してフォルダ２の選択を確定する。
【手続補正１０】
【補正対象書類名】明細書
【補正対象項目名】００３１
【補正方法】変更
【補正の内容】
【００３１】
１００  操作制御部、１０１  表示体駆動制御回路、１０８  表示体駆動回路、１０９  ディスプレイ、１１０  操作部、２０１  メインディスプレイ、２０２，（２０２ａ，２０２ｂ）  サブディスプレイ、２０３  ソースドライバ、２０５，２０６ａ，２０６ｂ  ゲートドライバ、２１０ａ，２１０ｂ  ポインタ画像、２１２  領域情報ディスプレイ